(57)【要約】【課題】屋根又は壁の通気構造に用いられる、遮熱性、透湿性、及び防水性を有する樹脂ボードとその使用方法を提供する。【解決手段】樹脂ボード１は、遮熱透湿防水シートと網目状の樹脂シートとを層状に貼り付けたシート部材で成る。樹脂ボード１の遮熱透湿防水シート側を野地板３に向けて垂木６の下面に固定する。これにより、野地板３と樹脂ボード１との間に通気層５が形成される。続いて、樹脂ボード１の樹脂シート側に発泡ウレタンを設けることにより、断熱材４を形成する。これにより、野地板３と断熱材４との間に通気層５が形成される。樹脂ボード１を屋根２裏の垂木６の下面に固定するという容易な施工作業によって、樹脂ボード１と野地板３との間に通気層５を形成することができる。【選択図】図２
2017075523.tif 000002
【特許請求の範囲】
【請求項１】
遮熱透湿防水シートと網目状の樹脂シートとを層状に貼り付けて成り、通気構造に用いられる樹脂ボード。
【請求項２】
前記遮熱透湿防水シートの表面にアルミが蒸着またはラミネート印刷されている請求項１に記載の樹脂ボード。
【請求項３】
前記遮熱透湿防水シートは、少なくとも合成樹脂成形フィルムと不織布との２層構造とされている、請求項１又は請求項２に記載の樹脂ボード。
【請求項４】
前記遮熱透湿防水シートは、不織布と、合成樹脂成形フィルムと、不織布とから成る３層構造とされている、請求項１又は請求項２に記載の樹脂ボード。
【請求項５】
請求項１乃至請求項４のいずれか一項に記載の樹脂ボードの使用方法であって、
前記樹脂ボードが、屋根裏の野地板の下面に垂木を介在して設けられ、それにより前記野地板と前記樹脂ボードとの間に屋根通気層を構成し、
前記樹脂ボードは、前記遮熱透湿防水シート側を野地板に向けて垂木の下面に固定され、前記樹脂シート側に断熱材として発泡ウレタンが設けられる、樹脂ボードの使用方法。
【請求項６】
請求項１乃至請求項４のいずれか一項に記載の樹脂ボードの使用方法であって、
前記樹脂ボードが、柱の外面に固定され、さらに前記樹脂ボードの外面に胴縁を介在して外装材が設けられ、これにより、前記樹脂ボードと前記外装材との間に壁通気層を構成し、
前記樹脂ボードは、前記遮熱透湿防水シート側を外装材に向けて柱の外面に固定され、前記樹脂シート側に断熱材として発泡ウレタンが設けられる、樹脂ボードの使用方法。
【発明の詳細な説明】
【技術分野】
【０００１】
本発明は、屋根裏の野地板と断熱材との間又は壁と断熱材との間に通気層を形成するための樹脂ボードとその使用方法に関するものである。
【背景技術】
【０００２】
従来から、家屋において、居室内の温度上昇を抑えるために、屋根裏の野地板の居室側に断熱材を配設する施工が行われている。断熱材は、一般にグラスウールやロックウールを敷き詰める手法、発泡ウレタンを工場等でパネル状に形成したものを用いる手法、発泡ウレタンを施工現場で吹き付けることにより形成する手法等により施工される。また、より居室内の温度上昇を抑えるためには、野地板と断熱材との間に通気層を形成して空気を通気させることや、屋根からの輻射熱を遮熱することも考えられる。
【０００３】
そこで、ウレタンとその上に空間を介して設けたアルミ箔とから成る断熱材が知られている（例えば非特許文献１参照）。この断熱材は、アルミ箔側を野地板に向けて垂木間に嵌め込まれる。ウレタンとアルミ箔との間の空間が通気層となり、アルミ箔が屋根からの輻射熱を遮熱する。
【０００４】
また、野地板と断熱材との間に通気層を設けるために用いられる、ＰＥＴ（ポリエチレンテレフタレート）繊維の不織布で凹凸を形成した通気用部材が知られている（例えば非特許文献２参照）。この通気用部材は、凹凸のある側を野地板に向けて、垂木間に嵌め込まれ、その下側から断熱材（発泡ウレタンをパネル状に成形したもの、又は、発泡ウレタンの吹き付けによるもの）が設けられる。通気用部材の凹凸の先端が野地板に接触することによって、野地板と通気用部材との間に空間が確保されて、野地板と断熱材との間に通気層が形成される。
【０００５】
また、ダンボールの両端を折り曲げた通気用部材が知られている（例えば非特許文献３参照）。この通気用部材は、両端の折り曲げた部分の先端側を野地板に向けて、垂木間に嵌め込まれ、その下側から断熱材が設けられる。通気用部材の折り曲げた部分の先端が野地板に接触することによって、野地板と通気用部材との間に空間が確保されて、野地板と断熱材との間に通気層が形成される。また、この通気用部材は、野地板側の表面にアルミが蒸着されており、アルミが屋根からの輻射熱を遮熱する。
【０００６】
また、ポリプロピレンの成形板の両端を折り曲げた通気用部材が知られている（例えば非特許文献４参照）。この通気用部材は、両端の折り曲げた部分の先端側を野地板に向けて、垂木間に嵌め込まれ、その下側から断熱材が設けられる。通気用部材の折り曲げた部分の先端が野地板に接触することによって、野地板と通気用部材との間に空間が確保されて、野地板と断熱材との間に通気層が形成される。また、この通気用部材は、野地板側の表面に遮熱フィルムが設けられており、遮熱フィルムが屋根からの輻射熱を遮熱する。
【０００７】
また、野地板と断熱材との間又は外壁と断熱材との間に通気層を形成するために用いられる面材が知られている（例えば特許文献１参照）。この面材は、軟質性又は可撓性又は柔軟性のシート状のものであり、紙材にプラスチックフィルムをラミネートしたラミネート紙面材、ポリエチレンフィルムやポリプロピレンフィルム等のフィルム面材、ポリエステル不織布のような繊維シート材、不織布に合成樹脂多孔質膜を被覆又は積層したシート材、アルミ箔ラミネートポリエチレンシート材などである。
【先行技術文献】
【非特許文献】
【０００８】
【非特許文献１】ニチハ株式会社、［online］、[平成２７年１０月１４日検索]、インターネット<URL:http://www.nichiha.co.jp/dannetsu/syadan.html>
【非特許文献２】日本住環境株式会社、［online］、[平成２７年１０月１４日検索]、インターネット<URL:http://www.njkk.co.jp/product/roof_ventilation/roof_spacer/index.html>
【非特許文献３】株式会社日本アクア、［online］、[平成２７年１０月１４日検索]、インターネット<URL:http://www.n-aqua.jp/products/others/aquair.html>
【非特許文献４】フクビ化学工業株式会社、［online］、[平成２７年１０月１４日検索]、インターネット<URL:http://www.catalabo.org/iportal/CatalogViewInterfaceStartUpAction.do?method=startUp&mode=PAGE&catalogCategoryId=&catalogId=27552730000&pageGroupId=&volumeID=CATALABO&designID=link>（１２５ページ）
【特許文献】
【０００９】
【特許文献１】特許第４９１９４４９号公報
【発明の概要】
【発明が解決しようとする課題】
【００１０】
しかしながら、上述した非特許文献１に記載の断熱材は、アルミ箔が透湿性を有していないため、ウレタンに結露し、その水分によってウレタンが劣化する。また、施工の際にアルミ箔が破れる虞があり、アルミ箔が破れると、雨水などの水分がウレタンにかかり、ウレタンが劣化する。また、非特許文献２に記載の通気用部材は、ＰＥＴ繊維の不織布から成っているため、防水性を有していない。このため、雨水などの水分が断熱材にかかり、その水分によって断熱材が劣化する。また、非特許文献３に記載の通気用部材は、ダンボールから成っているため、空気中の水分を吸収してカビの発生や劣化をまねく。また、非特許文献４に記載の通気用部材は、ポリプロピレンの成形板から成っているため、透湿性を有していない。このため、通気用部材に結露し、その水分によって通気用部材が劣化する。
【００１１】
また、非特許文献１に記載の断熱材においては、断熱材を垂木間に嵌め込むという作業が必要であり、また、非特許文献２〜４に記載の通気用部材においては、通気用部材を垂木間に嵌め込むという作業が必要であり、いずれも、施工の作業性が悪い。また、非特許文献４に記載の通気用部材においては、断熱材を発泡ウレタンの吹き付けにより形成する場合、通気用部材が樹脂製であるため、発泡ウレタンの発泡熱によって通気用部材が湾曲して、通気層を確保できなくなる虞がある。また、特許文献１に記載の面材においては、断熱材を一般的な発泡ウレタンの吹き付けにより形成する場合、面材が軟質性又は可撓性又は柔軟性のシート状のものであるため、発泡ウレタンの発泡熱によって面材が湾曲して、通気層を確保できなくなる虞がある。このため、通気層を確実に確保するためには、発泡熱の少ない特殊な発泡ウレタンを用いなければならない。
【００１２】
本発明は、上記課題を解決するためになされたものであり、遮熱性、透湿性、及び防水性を有し、かつ、容易な施工作業で屋根又は壁の通気構造を形成することができる樹脂ボードとその使用方法を提供することを目的とする。
【課題を解決するための手段】
【００１３】
上記目的を達成するために本発明の樹脂ボードは、遮熱透湿防水シートと網目状の樹脂シートとを層状に貼り付けて成り、通気構造に用いられるものである。
【００１４】
樹脂ボードは、遮熱透湿防水シートの表面にアルミが蒸着またはラミネート印刷されている、ことが好ましい。
【００１５】
また、樹脂ボードは、遮熱透湿防水シートは、少なくとも合成樹脂成形フィルムと不織布との２層構造とされている、ことが好ましい。
【００１６】
また、樹脂ボードは、遮熱透湿防水シートは、不織布と、合成樹脂成形フィルムと、不織布とから成る３層構造とされている、ことが好ましい。
【００１７】
また、樹脂ボードの使用方法であって、前記樹脂ボードが、屋根裏の野地板の下面に垂木を介在して設けられ、それにより前記野地板と前記樹脂ボードとの間に屋根通気層を構成し、前記樹脂ボードは、前記遮熱透湿防水シート側を野地板に向けて垂木の下面に固定され、前記樹脂シート側に断熱材として発泡ウレタンが設けられる、ものである。
【００１８】
また、樹脂ボードの使用方法であって、前記樹脂ボードが、柱の外面に固定され、さらに前記樹脂ボードの外面に胴縁を介在して外装材が設けられ、これにより、前記樹脂ボードと前記外装材との間に壁通気層を構成し、前記樹脂ボードは、前記遮熱透湿防水シート側を外装材に向けて柱の外面に固定され、前記樹脂シート側に断熱材として発泡ウレタンが設けられる、ものである。
【発明の効果】
【００１９】
本発明によれば、樹脂ボードを屋根裏の垂木の下面に固定するという容易な施工作業によって、樹脂ボードと野地板との間に屋根通気構造を形成することができる。また、樹脂ボードを柱の外面に固定するという容易な施工作業によって、樹脂ボードと外装材との間に壁通気構造を形成することができる。これにより、施工作業性を高めることができる。しかも、樹脂ボードは、遮熱透湿防水シートと網目状の樹脂シートとを貼り付けたものであるため、軽量である。これにより、より一層、施工作業性を高めることができる。さらに、樹脂ボードは、遮熱性を有しているので、屋根通気構造として用いたとき、屋根からの輻射熱を遮熱して居室内の温度上昇を抑えることができ、壁通気構造として用いたとき、外装材からの輻射熱を遮熱して居室内の温度上昇を抑えることができる。また、樹脂ボードは、透湿性を有しているので、樹脂ボード、垂木、柱、間柱、胴縁に結露するのを防いで、樹脂ボード、垂木、柱、間柱、胴縁の劣化を防ぐことができる。また、樹脂ボードは、防水性を有しているので、樹脂ボードの下側又は内側に設けられる断熱材、垂木、柱、間柱に水分がかかるのを防いで、断熱材、垂木、柱、間柱の劣化を防ぐことができる。また、樹脂シートが網目状になっているので、断熱材として一般的な発泡ウレタンを設ける場合に、遮熱透湿防水シート側を野地板又は外装材に向けて垂木又は柱に固定して、樹脂シート側に発泡ウレタンを吹き付けても、発泡ウレタンの発泡熱によって樹脂ボードが変形することがない。従って、確実に樹脂ボードと野地板との間又は樹脂ボードと外装材との間に通気層を形成することができる。また、発泡熱の少ない特殊な発泡ウレタンを用いる必要がなく、一般的な発泡ウレタンを使用できる。
【図面の簡単な説明】
【００２０】
【図１】本発明の一実施形態に係る樹脂ボードを使用して屋根通気構造を施工した家屋の概略構成を示す断面図。
【図２】図１のＩ−Ｉ線断面図。
【図３】同樹脂ボードの遮熱透湿防水シートと樹脂シートを分離した状態の斜視図。
【図４】同樹脂ボードを用いた屋根通気構造の施工方法を説明する断面図。
【図５】同樹脂ボードを施工した段階の断面図。
【図６】図５のＩＩ−ＩＩ線断面図。
【図７】同樹脂ボードを使用した壁通気構造の概略構成を示す斜視図。
【図８】図７のＩＩＩ−ＩＩＩ線断面図。
【図９】同樹脂ボードを使用した壁通気構造の施工方法を説明する断面図。
【図１０】同樹脂ボードの変形例を示す遮熱透湿防水シートと樹脂シートを分離した状態の斜視図。
【発明を実施するための形態】
【００２１】
以下、本発明を具体化した実施形態による樹脂ボードを使用した屋根通気構造並びに壁通気構造について図面を参照して説明する。図１、図２は、樹脂ボードを使用して屋根通気構造を施工した家屋の概略構成を示し、図３は、樹脂ボードの構成を示し、Ａ部及びＢ部の拡大図を併せて示している。樹脂ボード１は、屋根２裏の野地板３と断熱材４との間に通気層５を形成するために使用されている。野地板３は、垂木６上に設けられており、屋根２は、野地板３上の桟木７に取付けられている。樹脂ボード１は、シート状の部材であり、遮熱性、透湿性、及び防水性を有している。樹脂ボード１は、垂木６の下側に設けられている。これにより、野地板３と樹脂ボード１との間に通気層５が形成されている。また、断熱材４が樹脂ボード１の下側に設けられている。これにより、野地板３と断熱材４との間に通気層５が形成されている。
【００２２】
樹脂ボード１は、図３に示すように、遮熱透湿防水シート１１と網目状の樹脂シート１２とを層状に貼り付けたシート部材で成る。遮熱透湿防水シート１１は、合成樹脂繊維の不織布から成る第１層１１ａと、透湿性と防水性を有する合成樹脂成形フィルムから成る第２層１１ｂと、合成樹脂繊維の不織布から成る第３層１１ｃとから成る３層構造とされている。本実施形態では、第１層１１ａ及び第３層１１ｃは、ＰＥＴ（ポリエチレンテレフタレート）樹脂繊維の不織布から成り、第２層１１ｂは、ポリエチレン樹脂のフィルムから成る。また、遮熱透湿防水シート１１は、その表面、すなわち、第１層１１ａの表面にアルミ１１ｄが蒸着またはラミネート印刷されている。
【００２３】
遮熱透湿防水シート１１は、第１層１１ａ及び第３層１１ｃが不織布から成ること、及び、第２層１１ｂを成すポリエチレン自体が透湿性を有すること、によって透湿性を有している。また、遮熱透湿防水シート１１は、第２層１１ｂがフィルムから成ることによって、防水性を有している。また、遮熱透湿防水シート１１は、表面にアルミ１１ｄが蒸着またはラミネート印刷されていることによって、遮熱性を有している。
【００２４】
樹脂シート１２は、合成樹脂を網目状に成形、すなわち、多数の貫通孔１２ａを有するように成形したものであり、遮熱透湿防水シート１１の裏面、すなわち、第３層１１ｃの表面に貼り付けられている。樹脂シート１２は、合成樹脂を網目状に成形していることにより、断熱材４を一般的な発泡ウレタンの吹き付けにより形成する場合に、発泡ウレタンの発泡熱に耐え得る構成とされている。樹脂シート１２は、耐熱温度が比較的に高いＰＰ（ポリプロピレン）又はＰＥＴ（ポリエチレンテレフタレート）によって構成されているのが好ましい。本実施形態では、樹脂シート１２は、ＰＰによって構成されている。
【００２５】
遮熱透湿防水シート１１と樹脂シート１２とは、透湿性を有するように互いに貼り付けられている。具体的には、遮熱透湿防水シート１１の裏面（第３層１１ｃ）又は樹脂シート１２の表面に接着剤を噴霧して、遮熱透湿防水シート１１と樹脂シート１２とを接着する。透湿性を有する遮熱透湿防水シート１１と網目状の樹脂シート１２とをこのように接着することにより、樹脂ボード１は透湿性を有する。また、樹脂ボード１は、遮熱透湿防水シート１１の防水性によって、防水性を有する。また、樹脂ボード１は、遮熱透湿防水シート１１の遮熱性によって、遮熱性を有する。遮熱透湿防水シート１１の厚みは、０．１ｍｍ〜２．０ｍｍが好ましく、樹脂シート１２の厚みは、０．１ｍｍ程度〜２．０ｍｍが好ましい。本実施形態では、遮熱透湿防水シート１１の厚みは、０．３ｍｍであり、樹脂シート１２の厚みは、１．０ｍｍである。樹脂ボード１は、長尺物として製造され、適宜の寸法に裁断されて使用される。
【００２６】
図４は、樹脂ボード１を使用した屋根通気構造の施工方法を示し、図５、図６は、樹脂ボードを施工した段階の状態を示す。屋根通気構造の施工は、樹脂ボード１の一面を垂木６の下面に固定し、断熱材４となる発泡ウレタン２０を吹き付けることにより行われる。すなわち、まず、図５、図６に示すように、複数枚の樹脂ボード１を用いて、野地板３の全面を覆うように、各樹脂ボード１を垂木６の下面に固定する。各樹脂ボード１は、垂木６の間隔に応じて予め裁断されたもの又は現場で裁断したものを用い、遮熱透湿防水シート１１側を野地板３に向けて、複数の垂木６の間を跨いで、垂木６の下面に固定する。本実施形態では、３つの垂木６の間を跨いで、垂木６の下面に固定する。また、本実施形態では、樹脂ボード１の垂木６の下面への固定は、複数個所のタッカー留めによって行う。これにより、樹脂ボード１と野地板３との間に通気層５が形成される。続いて、樹脂ボード１の樹脂シート１２側に発泡ウレタン２０を吹き付けることにより断熱材４を形成する。発泡ウレタン２０は、断熱材４を形成するのに一般的に使用されるものである。このとき、樹脂シート１２が網目状になっていて多数の貫通孔１２ａを有しているため、発泡ウレタン２０の発泡熱によって樹脂ボード１が湾曲することがない。これは、発泡ウレタン２０の発泡熱によって樹脂シート１２が軟化、変形したとしても、その変形は樹脂シート１２の貫通孔１２ａの形状を変えるような変形となり、樹脂ボード１全体としての変形が抑えられるためである。従って、発泡ウレタン２０の発泡熱によって樹脂ボード１が湾曲しないため、樹脂ボード１と野地板３との間の通気層５が維持され、野地板３と断熱材４との間に通気層５が存在する状態となる。これにより、屋根通気構造が施工され、上記図１、図２に示す状態となる。
【００２７】
図７、図８は、樹脂ボード１を使用した壁通気構造の概略構成を示す。樹脂ボード１は、家屋の外壁である外装材３１と断熱材４との間に通気層５を形成するために用いられている。樹脂ボード１は、上記図３の構成と同様である。樹脂ボード１は、柱３２及び間柱３３と胴縁３４との間に設けられている。これにより、外装材３１と樹脂ボード１との間に通気層５が形成されている。また、断熱材４が樹脂ボード１の屋内側に設けられている。これにより、外装材３１と断熱材４との間に通気層５が形成されている。
【００２８】
図９は、樹脂ボード１を使用した壁通気構造の施工方法を示す。柱３２及び間柱３３を施工した後、まず、樹脂ボード１を屋外側から柱３２及び間柱３３の外面に固定する。樹脂ボード１は、樹脂シート１２側を柱３２及び間柱３３に向けて、柱３２及び間柱３３の外面に固定する。柱３２及び間柱３３は、交互に複数本のものが施工され、本実施形態では、樹脂ボード１は、長尺のものを用いて、複数本の柱３２及び間柱３３を跨ぐように柱３２及び間柱３３の外面に固定する。また、本実施形態では、樹脂ボード１の柱３２及び間柱３３の外面への固定は、樹脂ボード１をタッカー３５で柱３２及び間柱３３に留め付けることにより行う。続いて、胴縁３４を屋外側から施工する。胴縁３４の施工は、例えば釘又は木ねじによって、胴縁３４を樹脂ボード１を介して柱３２及び間柱３３に留め付けることにより行う。続いて、外装材３１を屋外側から施工する。外装材３１の施工は、例えば留め付け金具によって外装材３１を胴縁３４に留め付けることにより行う。これにより、樹脂ボード１と外装材３１との間に通気層５が形成される。樹脂ボード１は、遮熱透湿防水シート１１側を外装材３１に向けて、柱３２及び間柱３３の外面に固定された状態となっている。続いて、屋内側から樹脂ボード１の樹脂シート１２側に発泡ウレタン２０を吹き付けることにより断熱材４を形成する。このとき、樹脂シート１２が網目状になっていて多数の貫通孔１２ａを有しているため、発泡ウレタン２０の発泡熱によって樹脂ボード１が湾曲することがなく、樹脂ボード１と外装材３１との間の通気層５が維持され、外装材３１と断熱材４との間に通気層５が存在する状態となる。これにより、壁通気構造が施工され、上記図７、図８に示す状態となる。
【００２９】
本実施形態の樹脂ボード１によれば、樹脂ボード１を屋根２裏の垂木６の下面に固定するという容易な施工作業によって、樹脂ボード１と野地板３との間に通気層５を形成することができる。また、樹脂ボード１を柱３２の外面に固定するという容易な施工作業によって、樹脂ボード１と外装材３１との間に通気層５を形成することができる。これにより、施工作業性を高めることができる。しかも、樹脂ボード１は、遮熱透湿防水シート１１と樹脂シート１２とを貼り付けたものであるため、軽量である。これにより、より一層、施工作業性を高めることができる。さらに、樹脂ボード１は、遮熱性を有しているので、屋根通気構造として用いたとき、屋根２からの輻射熱を遮熱して居室内の温度上昇を抑えることができ、壁通気構造として用いたとき、外装材３１からの輻射熱を遮熱して居室内の温度上昇を抑えることができる。また、樹脂ボード１は、透湿性を有しているので、樹脂ボード１、垂木６、柱３２、間柱３３、胴縁３４に結露するのを防いで、樹脂ボード１、垂木６、柱３２、間柱３３、胴縁３４の劣化を防ぐことができる。また、樹脂ボード１は、防水性を有しているので、樹脂ボード１の下側又は内側に設けられる断熱材４、垂木６、柱３２、間柱３３に水分がかかるのを防いで、断熱材４、垂木６、柱３２、間柱３３の劣化を防ぐことができる。
【００３０】
さらには、樹脂シート１２が網目状になっているので、断熱材４を一般的な発泡ウレタン２０の吹き付けにより形成する場合でも、発泡ウレタン２０の発泡熱によって樹脂ボード１が変形することがなく、確実に通気層５を形成することができる。従って、発泡熱の少ない特殊な発泡ウレタンを用いる必要がなく、一般的な発泡ウレタンを使用することができる。また、遮熱透湿防水シート１１の表面にアルミ１１ｄを蒸着またはラミネート印刷することにより、樹脂ボード１に容易に遮熱性を持たせることができる。また、遮熱透湿防水シート１１を第１層１１ａ、第２層１１ｂ、及び第３層１１ｃから成る３層構造とすることにより、樹脂ボード１に透湿性及び防水性を持たせつつ、樹脂ボード１の引っ張り力に対する耐性を高めて、樹脂ボード１が破れるなどの破損を防ぐことができる。また、樹脂ボード１は、遮熱透湿防水シート１１と樹脂シート１２とを貼り付けたものであるため、構造が簡素であり、製造コストを安価にできる。
【００３１】
図１０は、樹脂ボードの変形例を示し、Ｃ部及びＤ部の拡大図を併せて示している。この樹脂ボード１は、遮熱透湿防水シート１１の構成が上記実施形態と異なっている。この樹脂ボード１では、遮熱透湿防水シート１１は、透湿性と防水性を有する合成樹脂成形フィルムから成る第１層１１ａと、合成樹脂繊維の不織布から成る第２層１１ｂとから成る２層構造とされており、第１層１１ａ（合成樹脂成形フィルム）の表面にアルミ１１ｄが蒸着またはラミネート印刷されている。本実施形態では、第１層１１ａは、ポリエチレン樹脂のフィルムから成り、第２層１１ｂは、ＰＥＴ（ポリエチレンテレフタレート）樹脂繊維の不織布から成る。他の構成については、上記実施形態と同様である。このような樹脂ボード１によれば、軽量化を図ることができ、施工作業性を高めることができる。
【００３２】
なお、本発明は、上記各実施形態の構成に限られず、種々の変形が可能である。例えば、断熱材４は、発泡ウレタン２０の吹き付けにより形成するものでなく、工場等で発泡ウレタン２０をパネル状に形成したものであってもよい。また、樹脂ボード１は、例えば、樹脂ボード１を補強するための補強部材や、樹脂ボード１を垂木６、柱３２、胴縁３４に固定するための固定部材などをさらに備えていてもよい。また、遮熱透湿防水シート１１は、少なくとも合成樹脂成形フィルムと不織布との２層構造とされていればよく、第１層１１ａが合成樹脂成形フィルムから成り、第２層１１ｂが合成樹脂繊維の不織布から成り、第３層１１ｃが合成樹脂成形フィルムから成る３層構造とされていてもよく、また、合成樹脂成形フィルムと不織布を各々１層以上含む４層以上の構造とされていてもよい。また、樹脂ボード１は、床の通気構造にも適用できるものである。
【符号の説明】
【００３３】
１    樹脂ボード
２    屋根
３    野地板
４    断熱材
５    通気層
６    垂木
７    桟木
１１    遮熱透湿防水シート
１１ａ    第１層
１１ｂ    第２層
１１ｃ    第３層
１１ｄ    アルミ
１２    樹脂シート
１２ａ    貫通孔
２０    発泡ウレタン
３１    外装材
３２    柱
３３    間柱
３４    胴縁
３５    タッカー
【図１】
2017075523.tif 000003
【図２】
2017075523.tif 000004
【図３】
2017075523.tif 000005
【図４】
2017075523.tif 000006
【図５】
2017075523.tif 000007
【図６】
2017075523.tif 000008
【図７】
2017075523.tif 000009
【図８】
2017075523.tif 000010
【図９】
2017075523.tif 000011
【図１０】
2017075523.tif 000012